(57)【要約】【課題】小型で簡単な構成にてリフト板を平行に移動させ給紙部に載置されたシート量の多寡にかかわらずに安定した給紙性能が得られる給紙装置及びそれを備えた画像形成装置を提供する。【解決手段】給紙装置３０は、手差しトレイ３１に載置されたシート９の給紙端側を載置し、給紙ローラー３２側に往復移動可能なリフト板３３と、リフト板３３を給紙ローラー３２側に付勢するコイルスプリング３７と、リフト板３３を給紙ローラー３２側に往復移動させる作動機構４０と、を備える。作動機構４０は、第１レバー部材４１及び第２レバー部材４２を有する。第１及び第２レバー部材４１、４２は、各一端部が手差しトレイ３１に回動可能に取り付けられるとともに各他端部がリフト板３３に回動可能に取り付けられる平行リンク機構を構成する。【選択図】図３
2013245056.tif 000002
【特許請求の範囲】
【請求項１】
シートを給送する給紙ローラーと、
シートを載置可能な載置面を有する給紙部と、
該給紙部に載置されたシートの給紙端側を載置し、前記給紙ローラー側に往復移動可能なリフト板と、
該リフト板を前記給紙ローラー側に付勢する付勢部材と、
前記リフト板を前記給紙ローラー側に往復移動させる作動機構と、を備え、
前記作動機構は、一端部が前記給紙部に回動可能に取り付けられるとともに他端部が前記リフト板に回動可能に取り付けられる第１レバー部材と、一端部が前記給紙部に回動可能に取り付けられるとともに他端部が前記リフト板に回動可能に取り付けられる第２レバー部材とを有し、前記第１レバー部材及び前記第２レバー部材の夫々の前記一端部から前記他端部までの長さが同じで且つ前記第１レバー部材及び前記第２レバー部材の各一端部の間隔が各他端部の間隔と同じであるように構成されることを特徴とする給紙装置。
【請求項２】
前記付勢部材はコイルスプリングからなることを特徴とする請求項１に記載の給紙装置。
【請求項３】
、
前記第１レバー部材及び前記第２レバー部材のいずれかの部材を前記リフト板の往復移動方向に揺動させる駆動機構を備え、
前記駆動機構は、外周縁部にカム形状を有して回転駆動させられるカム部材と、該カム部材の外周縁部に当接するカムフォロアーを有するとともに、回転中心に対して前記カムフォロアーの反対側に前記第１レバー部材及び前記第２レバー部材のいずれかの部材に当接する当接部を有する揺動部材と、を備えることを特徴とする請求項１または請求項２に記載の給紙装置。
【請求項４】
請求項１〜請求項３のいずれかに記載の給紙装置を備えた画像形成装置。
【発明の詳細な説明】
【技術分野】
【０００１】
本発明は、複写機、プリンター、ファクシミリ、それらの複合機等の画像形成装置に用いる給紙装置、並びに給送された原稿を読み取る画像読取装置に用いる給紙装置、及びそれらを備えた画像形成装置に関するものである。
【背景技術】
【０００２】
画像形成装置においては、シートを画像形成部に搬送し、画像形成部において像担持体上に形成されたトナー像をシート上に転写した後、該トナー像をシートに定着するプロセスを経て画像が形成される。シートを画像形成部へ給送する方式として、複数枚のシートを給紙カセットに予め積載しておき、給紙カセットからシートを１枚ずつピックアップして画像形成部へ給送するカセット給紙方式と、手差しトレイにセットされたシートを画像形成部へ給送する手差し給紙方式とがある。画像形成装置は、給紙カセットと手差しトレイとの両方式を備え、頻繁に印刷するサイズのシートを給紙カセットに収容する一方、それ以外のサイズのシートや封筒、厚紙等の特殊シートは手差しトレイに載置し、シートの種類に応じて何れかの方式を選択して画像形成部に搬送している。
【０００３】
手差し給紙方式では、手差しトレイに載置したシートを給紙ローラーによって画像形成部に向かって給送している。その際にシートの給紙側先端部をリフト板によって持ち上げシートを給紙ローラーに圧接し、圧接した状態で給紙ローラーが回転してシートを給送している。シートの先端部を持ち上げるためにリフト板が手差しトレイ側を中心に回動しているが、手差しトレイに載置されたシートが少ない場合とシートが多い場合とで、リフト板の回動角度が異なるため、シートが給紙ローラーに圧接する角度が異なる。手差しトレイに載置されたシートが少ない場合はシートの給紙ローラーに当接する角度が大きくなる一方、シートが多い場合はシートの給紙ローラーへの当接角度が小さくなり、安定した給紙が行なえなかった。載置されたシート量の多寡による給紙ローラーへの当接角度の変動を小さくするためにリフト板の給紙方向の長さを大きくすればよいが、装置が大型化するという問題があった。また、画像読取装置の給紙装置において、原稿収納部に積載された原稿量の多寡による給紙ローラーへの当接角度の変動を小さくするには、装置が大型化するという問題があった。
【０００４】
そこで、リフト板を回動させるのではなく垂直方向に移動させる関連技術が知られている。例えば特許文献１記載の給紙装置は、リフト板とその下方の装置本体との間にリンク機構が取り付けられ、リンク機構がモーターによって駆動させられる。リンク機構の駆動によりリフト板が垂直方向にほぼ水平を保った状態で上昇し、リフト板に載置されたシートが上下動可能な給紙ローラーに圧接すると、その位置でモーターの駆動を停止させることで、載置されたシート量の多寡による給紙ローラーへの当接角度の変動を小さくしている。
【先行技術文献】
【特許文献】
【０００５】
【特許文献１】特開２００２−２６５０７２号公報（段落［００３１］、［００３２］、第１図、第２図）
【発明の概要】
【発明が解決しようとする課題】
【０００６】
しかしながら、特許文献１記載の給紙装置は、リフト板とその下方の装置本体との間にリンク機構を配置してリンク機構の下方端を昇降の支点とする構成であるために、リフト板を上下動させるのにリンク機構が垂直方向に昇降するとき、リンク機構の揺動角度が大きくなることがあり、リンク機構を設ける大きなスペースが必要となる。また、リフト板側のリンク機構は一方が回動可能に取り付けられ、他方が回動可能で且つ水平方向に移動可能であるように構成しなければならず、リンク機構及びリンク機構に係合するリフト板が複雑な構成になるという問題があった。
【０００７】
本発明は、上記のような課題を解決するためになされたものであり、小型で簡単な構成にてリフト板を平行に移動させ給紙部に載置されたシート量の多寡にかかわらずに安定した給紙性能が得られる給紙装置及びそれを備えた画像形成装置を提供することを目的とする。
【課題を解決するための手段】
【０００８】
上記目的を達成するために第１の発明の給紙装置は、シートを給送する給紙ローラーと、シートを載置可能な載置面を有する給紙部と、該給紙部に載置されたシートの給紙端側を載置し、前記給紙ローラー側に往復移動可能なリフト板と、該リフト板を前記給紙ローラー側に付勢する付勢部材と、前記リフト板を前記給紙ローラー側に往復移動させる作動機構と、を備え、前記作動機構は、一端部が前記給紙部に回動可能に取り付けられるとともに他端部が前記リフト板に回動可能に取り付けられる第１レバー部材と、一端部が前記給紙部に回動可能に取り付けられるとともに他端部が前記リフト板に回動可能に取り付けられる第２レバー部材とを有し、前記第１レバー部材及び前記第２レバー部材の夫々の前記一端部から前記他端部までの長さが同じで且つ前記第１レバー部材及び前記第２レバー部材の各一端部の間隔が各他端部の間隔と同じであるように構成されることを特徴としている。
【０００９】
また、第２の発明は、上記の給紙装置において、前記付勢部材はコイルスプリングからなることを特徴としている。
【００１０】
また、第３の発明は、上記の給紙装置において、前記第１レバー部材及び前記第２レバー部材のいずれかの部材を前記リフト板の往復移動方向に揺動させる駆動機構を備え、前記駆動機構は、外周縁部にカム形状を有して回転駆動させられるカム部材と、該カム部材の外周縁部に当接するカムフォロアーを有するとともに、回転中心に対して前記カムフォロアーの反対側に前記第１レバー部材及び前記第２レバー部材のいずれかの部材に当接する当接部を有する揺動部材と、を備えることを特徴としている。
【００１１】
また、第４の発明は、前記構成の給紙装置を備えた画像形成装置である。
【発明の効果】
【００１２】
第１の発明によれば、作動機構がリフト板を給紙ローラー側へ往復移動させるとき、給紙部側の各一端部を回動支点として第１レバー部材及び第２レバー部材が回動するために、各他端部を回動可能に支持したリフト板は常に平行に往復移動する。従って給紙部に載置されたシートの多寡にかかわらずシートの給紙ローラーへの当接角度が常に一定となる。その結果、安定した給紙性能を備えた小型で簡単な構成の給紙装置が得られる。
【図面の簡単な説明】
【００１３】
【図１】本発明の実施形態に係る給紙装置を備える画像形成装置を概略的に示す断面図
【図２】実施形態に係る給紙装置を概略的に示す斜視図
【図３】実施形態に係る手差し給紙部に載置されたシートが多い場合の作動機構と駆動機構の一部を概略的に示す斜視図
【図４】実施形態に係る手差し給紙部に載置されたシートが少ない場合の作動機構及び駆動機構の一部を概略的に示す斜視図
【図５】実施形態に係るリフト板が退避位置にある場合の駆動機構を示す平面図
【図６】実施形態に係るリフト板が給紙位置にある場合の駆動機構を示す平面図
【発明を実施するための形態】
【００１４】
以下に本発明の実施形態について図面を参照して説明するが、本発明は、この実施形態に限定されない。また発明の用途やここで示す用語等はこれに限定されるものではない。
【００１５】
図１は、本発明に係る給紙装置を備えた画像形成装置の概略構成を示す断面図である。画像形成装置１は、その下部に配設された給紙部２と、給紙部２の右側方に配設されたシート搬送部３と、給紙部２の上方に配設された画像形成部４と、画像形成部４のシート搬送側下流に配設された定着部５と、画像形成部４及び定着部５の上方に配設された画像読取部６とを備えている。
【００１６】
給紙部２は、シート９を収容する複数の給紙カセット７を備えており、給紙ローラー８により複数の給紙カセット７のうち選択された給紙カセット７からシート９を１枚ずつシート搬送部３に給送する。また、複数の給紙カセット７に積載されていないサイズの用紙や封筒、厚紙等のシート９は、手差し給紙部である手差しトレイ３１に載置される。手差しトレイ３１に載置されたシート９は給紙ローラー３２によって手差しトレイ３１からシート搬送部３に給送される。
【００１７】
シート搬送部３に送られたシート９は、画像形成部４に向けてシート搬送経路１０を搬送させられる。画像形成部４は、電子写真プロセスによって、シート９にトナー像を形成するものであり、図１の矢印方向に回転可能に支持された感光体１１と、この感光体１１の周囲にその回転方向に沿って、帯電部１２、露光部１３、現像装置１４、転写部１５、クリーニング部１６、及び除電部１７を備えている。
【００１８】
帯電部１２は、高電圧を印加される帯電ワイヤを備えており、この帯電ワイヤからのコロナ放電によって感光体１１表面に所定電位を与えると、感光体１１表面が一様に帯電させられる。そして、画像読取部６によって読み取られた原稿の画像データに基づく光が、露光部１３により感光体１１に照射されると、感光体１１の表面電位が選択的に減衰され、感光体１１表面に静電潜像が形成される。
【００１９】
次いで、現像装置１４が感光体１１表面にトナーを供給し、感光体１１表面の静電潜像がトナー像に現像される。感光体１１表面のトナー像が転写部１５によって感光体１１と転写部１５との間に搬送されたシート９に転写される。
【００２０】
トナー像が転写されたシート９は、画像形成部４のシート搬送方向の下流側に配置された定着部５に向けて搬送される。定着部５では、熱源によって加熱される加熱ローラー１８及び加熱ローラー１８に圧接する加圧ローラー１９によってシート９が加熱加圧され、シート９上にトナー像が溶融定着される。次いで、トナー像が定着されたシート９は、排出ローラー対２０によって排出トレイ２１上に排出される。
【００２１】
転写部１５によってトナー像がシート９に転写された後、感光体１１表面に残留しているトナーは、クリーニング部１６により除去され、また感光体１１表面の残留電荷は除電部１７により除去される。そして、感光体１１は帯電部１２によって再び帯電され、以下同様にして画像形成が行われる。
【００２２】
図２は、手差しトレイ３１に載置されたシート９を給送する給紙装置３０を概略的に示す斜視図である。尚、図２は画像形成装置１の装置内部から給紙装置３０を見た図であり、図示しないが手差しトレイ３１は図２の左上に配設される。
【００２３】
給紙装置３０は、前述の手差しトレイ３１及び給紙ローラー３２の他に、リフト板３３と、作動機構４０と、作動機構４０を駆動させる駆動機構５０と、分離パッド３５と、を備える。
【００２４】
給紙ローラー３２は給紙コロ３２ａと、給紙コロ３２ａと一体に設けられシート幅方向に延びる回転軸３２ｂとを有する。給紙コロ３２ａは、分離パッド３５に対向してシート幅方向の中央部に配置され、分離パッド３５とともに複数枚のシート９から最上面のシート９のみを分離してシート搬送路１０（図１参照）へ給送する。
【００２５】
リフト板３３は、手差しトレイ３１（図１参照）のシート載置面に沿った形をなす板状部材からなり、手差しトレイ３１の給紙端側に配置され手差しトレイ３１に載置されたシート９の給紙端側を載置する。またリフト板３３は、給紙コロ３２ａ側に往復移動可能に設けられるとともに給紙コロ３２ａ側に向かって付勢され、リフト板３３上に載置されたシート束の最上位に位置するシート９が給紙コロ３２ａに当接する給紙位置に移動するように構成される。
【００２６】
リフト板３３のシート幅方向の両端部には作動機構４０（図２では片側の作動機構４０のみを図示）が配設され、リフト板３３のシート幅方向の一端部には駆動機構５０が配設される。作動機構４０はリフト板３３を給紙コロ３２ａ側に往復移動させる機構である。駆動機構５０は一方の作動機構４０をリフト板３３の往復移動方向に駆動させるとともに、給紙ローラー３２の回転軸３２ｂを回転駆動させる機構である。
【００２７】
作動機構４０及び駆動機構５０の詳しい構成及び動作を図３、図４に示す。図３、図４は作動機構４０と駆動機構５０の一部とを概略的に示す斜視図であり、図３は載置されたシート９が多い場合（シート束の厚みＳ１）であり、図４は載置されたシート９が少ない場合（シート束の厚みＳ２）である。尚、本実施形態では手差しトレイ３１及びリフト板３３はシート幅方向に長く延びる構成であるが、図３、図４では作動機構４０及び駆動機構５０の構成を分かりやすくするめに手差しトレイ３１及びリフト板３３を短く示している。また作動機構４０は、シート幅方向の両端部側に設けられる構成であるが、片側の作動機構４０のみを示す。
【００２８】
図３に示すように、リフト板３３は、シート９の給紙端側を載置するシート支持面３３ａと、シート支持面３３ａの下方に延設される腕部３３ｂとを有する。シート支持面３３ａは手差しトレイ３１のシート載置面に沿ってシート幅方向に延びる水平面で形成される。腕部３３ｂはシート支持面３３ａのシート幅方向の両端部側に一対形成される。
【００２９】
腕部３３ｂには第１揺動支軸３３ｃ及び第２揺動支軸３３ｄが形成される。第１揺動支軸３３ｃ及び第２揺動支軸３３ｄは、互いに所定の間隔を隔ててシート支持面３３ａと垂直な方向（図３の上下方向）に並べて配置される。
【００３０】
手差しトレイ３１の給紙側端には第１中心支軸３１ａ及び第２中心支軸３１ｂが形成される。第１中心支軸３１ａ及び第２中心支軸３１ｂは、手差しトレイ３１のシート幅方向の両端部側に夫々一対形成される。また、第１中心支軸３１ａ及び第２中心支軸３１ｂは、第１揺動支軸３３ｃ及び第２揺動支軸３３ｄと同じ間隔でシート支持面３３ａと垂直な方向（図３の上下方向）に並べて配置される。さらに第１中心支軸３１ａと第１揺動支軸３３ｃとの距離は、第２中心支軸３１ｂと第２揺動支軸３３ｄとの距離に等しくなるように構成される。
【００３１】
作動機構４０は、第１レバー部材４１及び第２レバー部材４２を有する。第１レバー部材４１は、一端部である第１中心孔４１ａと他端部である第１揺動孔４１ｂとを有する。第１中心孔４１ａは第１中心支軸３１ａの周りを回動可能に係合し、第１揺動孔４１ｂは第１揺動支軸３３ｃの周りを回動可能に係合する。また、第２レバー部材４２は、一端部である第２中心孔４２ａと他端部である第２揺動孔４２ｂとを有する。第２中心孔４２ａは第２中心支軸３１ｂの周りを回動可能に係合し、第２揺動孔４２ｂは第２揺動支軸３３ｄの周りを回動可能に係合する。
【００３２】
第１レバー部材４１が第１中心孔４１ａ及び第１揺動孔４１ｂを介して第１中心支軸３１ａ及び第１揺動支軸３３ｃに取り付けられ、また第２レバー部材４２が第２中心孔４２ａ及び第２揺動孔４２ｂを介して第２中心支軸３１ｂ及び第２揺動支軸３３ｄに取り付けると、第１レバー部材４１及び第２レバー部材４２は平行リンク機構を構成する。
【００３３】
具体的には、第１レバー部材４１及び第２レバー部材４２は、手差しトレイ３１側の第１及び第２中心孔４１ａ、４２ａを回動支点として、第１及び第２揺動孔４１ｂ、４２ｂが図３の上下方向に揺動する。これによって、第１及び第２揺動孔４１ｂ、４２ｂによって回動可能に支持されたリフト板３３は、図３の上下方向に揺動（給紙ローラー３２側に接近または離間する方向に往復移動）する。リフト板３３が往復移動するとき、リフト板３３のシート支持面３３ａは図３の上下方向に平行に移動する。尚、手差しトレイ３１及びリフト板３３が揺動の中心孔及び揺動孔を有し、第１レバー部材４１及び第２レバー部材４２が中心孔及び揺動孔に回動可能に嵌装する中心軸及び揺動軸を有する構成であってもよい。さらに中心軸及び揺動軸はシート幅方向に延びて、その両端側で１対の第１レバー部材４１及び第２レバー部材４２に取り付けられる構成であってもよい。
【００３４】
リフト板３３の腕部３３ｂと給紙装置３０の本体との間には、付勢部材であるコイルスプリング３７が取り付けられている。コイルスプリング３７は圧縮バネでありリフト板３３を給紙ローラー３２側に付勢する。
【００３５】
手差しトレイ３１に厚みＳ１のシート束が載置され、シート束の給紙端部側がリフト板３３のシート支持面３３ａに載置されている場合、コイルスプリング３７の付勢力によって、シート束の最上位に位置するシート９が給紙ローラー３２（給紙コロ３２ａ）に圧接する。リフト板３３のシート支持面３３ａは水平に形成されているために、シート束の最上位のシート９は所定の角度（本実施形態では水平方向に対して０°）で給紙ローラー３２に当接している。
【００３６】
給紙ローラー３２が回転することでシート９が画像形成部４（図１参照）に給送され、手差しトレイ３１及びリフト板３３に載置されたシート９が減少していき、図４に示すように、リフト板３３に載置されたシート束の厚みがＳ１からＳ２に減少した場合、コイルスプリング３７の付勢力によって、リフト板３３が給紙ローラー３２側に押し上げられる。即ち、第１レバー部材４１及び第２レバー部材４２は、手差しトレイ３１側の第１及び第２中心孔４１ａ、４２ａを回動支点として、第１及び第２揺動孔４１ｂ、４２ｂが給紙ローラー３２側に回動し、リフト板３３のシート支持面３３ａは給紙ローラー３２側に平行に上側に移動する。シート支持面３３ａに載置されたシート束の最上位のシート９は給紙ローラー３２に圧接されるが、リフト板３３のシート支持面３３ａは水平を保持した状態で上昇するために、シート束の最上位のシート９は、シート束の厚みがＳ１（図３参照）の状態と同じ角度（本実施形態では水平方向に対して０°）で給紙ローラー３２に当接する。
【００３７】
このように、手差しトレイ３１に載置されたシート束の多寡にかかわらずシート９の給紙ローラー３２への当接する角度が一定となり、安定してシート９を給送することができる。またリフト板３３の往復移動に対して第１及び第２レバー部材４１、４２の揺動角が小さくてすみ、小型で簡単な構成の給紙装置３０が得られる。
【００３８】
尚、上記実施形態では、給紙ローラー３２への水平方向に対する当接角度は０°、つまりリフト板３３のシート支持面３３ａを水平状態に設定したが、分離パッド３５（図２参照）等のリフト板３３周辺の部材の構成、配置に応じてリフト板３３のシート支持面３３ａを傾斜させて給紙ローラー３２への当接角度を適宜設定してもよい。
【００３９】
図３に戻り、第１レバー部材４１には突出片４１ｃが形成される。突出片４１ｃは、駆動機構５０を構成する揺動部材５１の当接部５１ａに当接する。駆動機構５０は、この揺動部材５１及びカム部材５２を有し、前述の作動機構４０を介して、リフト板３３上のシート９が給紙ローラー３２に当接する給紙位置と、リフト板３３上のシート９が給紙ローラー３２に当接しない退避位置との間を往復移動させるものである。
【００４０】
駆動機構５０の更に詳しい構成を図５、図６に示す。図５、図６は駆動機構５０を示す平面図であり、図３の裏面側から見たものである。図５はリフト板３３が退避位置にある場合であり、図６はリフト板３３が給紙位置にある場合である。
【００４１】
図５に示すように、揺動部材５１は、第１レバー部材４１の突出片４１ｃに当接する当接部５１ａと、回転軸孔５１ｃに対して当接部５１ａの略反対側に位置するカムフォロアー５１ｂと、図示しない回転軸に回転可能に支持される回転軸孔５１ｃを有する。
【００４２】
カム部材５２は、図示しない回転軸に回転可能に支持される回転軸孔５２ａと、所定のカム形状を全周に形成され揺動部材５１のカムフォロアー５１ｂに当接する外周縁部５２ｂとを有し、図示しないモーター等の駆動源によって回転させられる。カム部材５２が回転軸孔５２ａを中心に回転すると、外周縁部５２ｂに当接するカムフォロアー５１ｂがカム形状に応じて作動し、カムフォロアー５１ｂの作動によって揺動部材５１は回転軸孔５１ｃの回りを回動する。これによって、揺動部材５１の当接部５１ａが回転軸孔５１ｃを中心に揺動する。コイルスプリング３７の付勢力によって、揺動部材５１の当接部５１ａ及び第１レバー部材４１の突出片４１ｃは当接し、揺動部材５１の当接部５１ａが揺動すると、第１レバー部材４１は第１中心孔４１ａ（図３参照）周りを回動し、第１レバー部材４１の回動にともなって、第２レバー部材４２は第２中心孔４２ａ（図３参照）周りを回動し、この結果、リフト板３３は図５の上下方向に移動する。
【００４３】
リフト板３３の退避状態（図５の状態）において、カム部材５２が矢印方向（時計回り方向）に回転させられると、カム部材５２のカム形状による変位量が減少し、カムフォロアー５１ｂを介して揺動部材５１が回転軸孔５１ｃの回りを反時計回り方向に回動する。揺動部材５１の回動によって、第１レバー部材４１がコイルスプリング３７の付勢力によって第１中心孔４１ａ（図３参照）周りを反時計回り方向に回動し、リフト板３３上に載置したシート束の最上位のシート９が給紙ローラー３２に当接するまでリフト板３３が上方向に移動して、給紙状態（図６の状態）となる。この給紙状態では、コイルスプリング３７の付勢力によって、リフト板３３上のシート束の最上位のシート９には圧接力が作用し、リフト板３３上のシート束の量に応じて、第１レバー部材４１の突出片４１ｃと揺動部材５１の当接部５１ａが当接しないことがある。
【００４４】
図６に示す給紙状態において、カム部材５２がさらに時計回り方向に回転させられると、カム部材５２のカム形状による変位量が増加し、カムフォロアー５１ｂを介して揺動部材５１が回転軸孔５１ｃの回りを時計回り方向に回動して、揺動部材５１の当接部５１ａがコイルスプリング３７の付勢力に抗して第１レバー部材４１の突出片４１ｃを押し下げ、第１レバー部材４１は第１中心孔４１ａ（図３参照）周りを時計回り方向に回動し、リフト板３３は下方向に移動して、退避位置（図５の状態）に戻る。
【００４５】
このようにカム部材５２が１回転する間に、リフト板３３は退避位置から給紙位置に移動し、そして退避位置に戻る。また、給紙ローラー３２は、カム部材５２とともに図示しないモーター等の駆動源に接続され、モーターによって回転させられる。即ち、モーターが駆動すると、リフト板３３が上昇し給紙位置に移動した後、給紙ローラー３２が１回転し、給紙ローラー３２の回転によってシート９が給紙ローラー３２から給送される。シート９の給送後、給紙ローラー３２が回転停止し、リフト板３３が下降し退避位置に戻る。
【００４６】
このように、駆動機構５０をカム部材５２と、カム部材５２に追随して作動する揺動部材５１で構成することで、作動機構４０を介してリフト板３３を往復移動させることができ、また給紙ローラー３２によってシート９の給紙が可能となる。
【００４７】
また、リフト板３３を付勢するのにコイルスプリング３７を用いることで、リフト板３３への付勢力が安定するため、給紙ローラー３２への給紙圧も安定し、シートを１枚ずつ確実に給送することができる。
【００４８】
尚、上記実施形態では、駆動機構５０の揺動部材５１（当接部５１ａ）が第１レバー部材４１（突出片４１ｃ）に当接し、第１レバー部材４１を作動させる構成を示したが、本発明はこれに限らず、揺動部材５１が第２レバー部材４２に係合し、第２レバー部材４２を作動させることでリフト板３３が往復移動する構成であってもよい。また駆動機構５０は、第１レバー部材４１の第１中心孔４１ａ近傍を回転させる構成であってもよく、或いは第２レバー部材４２の第２中心孔４２ａ近傍を回転させる構成であってもよい。これらの場合も上記実施形態と同様の効果を奏する。
【産業上の利用可能性】
【００４９】
本発明は、複写機、プリンター、ファクシミリ、それらの複合機等の画像形成装置に用いる給紙装置、並びに給送された原稿を読み取る画像読取装置に用いる給紙装置、及びそれらを備えた画像形成装置に利用することができる。
【符号の説明】
【００５０】
１    画像形成装置
３０    給紙装置
３１    手差しトレイ（給紙部）
３１ａ    第１中心支軸
３１ｂ    第２中心支軸
３２    給紙ローラー
３２ａ    給紙コロ
３２ｂ    回転軸
３３    リフト板
３３ａ    シート支持面
３３ｂ    腕部
３３ｃ    第１揺動支軸
３３ｄ    第２揺動支軸
３５    分離パッド
３７    コイルスプリング（付勢部材）
４０    作動機構
４１    第１レバー部材
４１ａ    第１中心孔（一端部）
４１ｂ    第１揺動孔（他端部）
４１ｃ    突出片
４２    第２レバー部材
４２ａ    第２中心孔（一端部）
４２ｂ    第２揺動孔（他端部）
５０    駆動機構
５１    揺動部材
５１ａ    当接部
５１ｂ    カムフォロアー
５１ｃ    回転軸孔
５２    カム部材
５２ａ    回転軸孔
５２ｂ    外周縁部
【図１】
2013245056.tif 000003
【図２】
2013245056.tif 000004
【図３】
2013245056.tif 000005
【図４】
2013245056.tif 000006
【図５】
2013245056.tif 000007
【図６】
2013245056.tif 000008